(57)【特許請求の範囲】
【請求項１】
内部空間部と隔壁を介して区割りされた領域の天井壁に開口された収納空間部と、この収納空間部に直交する方向に互いに平行に対峙して内部空間部側に設けられることによってスライダ移動空間部を構成する一対のスライドガイド壁と、スライダ移動空間部中に位置して隔壁側に設けられたストッパ部と、このストッパ部を挟んで隔壁に設けられてスライダ移動空間部と収納空間部とを連通させるスライドガイド開口部とを有する筐体と、
スライドガイド壁の内面とそれぞれ対向するとともにスライドガイド開口部を介して収納空間部側に進退する一端部に係合手段が設けられた互いに平行に対峙する一対の支持片と、これら支持片の他端部からそれぞれ一体に連設されてスライドガイド壁の内面に弾接するスライド片と、支持片間を連結するとともに支持片の支持部が収納空間部側に突出した状態においてストッパ部と衝合する連結基部とを有し、スライダ移動空間部に移動自在に配設されたスライダ部材と、
収納空間部を開閉するに足る形状の蓋部と、この蓋部のスライドガイド開口部と対向する一端部側に互いに平行に対峙して一体に突設され先端部に形成した係合手段がスライダ部材の支持片に設けた係合手段に組み付けられることによって回動自在に支持される一対の連結片と、これら連結片との間に位置して蓋部の一端部に突設され蓋部が収納空間部を閉塞した状態において筐体側に設けた係合部と相対係合して蓋部による収納空間部の閉塞状態を保持する係合片とを有する蓋部材とを備え、
蓋部材は、係合片と係合部との係合状態が解除された状態で、スライドガイド壁に沿って収納空間部側に移動動作するスライダ部材に支持されてスライド操作されるとともに、連結片を介して組み合わされたスライダ部材の支持片を支点として回動操作されて収納空間部を開放することを特徴とした蓋装置。
【請求項２】
天井壁には、隔壁と収納空間部の開口部との間に蓋部材のスライド動作を保持する動作保持領域が構成され、この動作保持領域に被組付け部材との組み付けを行うための組付け用スタッド部が設けられ、
この組付け用スタッド部は、蓋部材を回動動作させた状態において外方に露呈されることを特徴とする請求項１記載の蓋装置。
【請求項３】
蓋部材の連結片とスライダ部材の支持片とは、過大な衝撃等に対して厚み方向に弾性変位可能に構成されるとともに、これら連結片と支持片とに設けた係合手段を相対係合される係合凸部と係合穴とによって構成したことを特徴とする請求項１又は請求項２のいずれか１項に記載の蓋装置。
【発明の詳細な説明】
【０００１】
【産業上の利用分野】
本発明は、筐体内に構成された収納部、例えば電池の収納部を備える電機機器等において、前記収納部を開閉する蓋装置に関する。
【０００２】
【従来の技術】
例えば携帯型電話機、携帯型音響機器等においては、機器筐体にポケット状の電池収納部を構成し、この電池収納部に装填される電池を電源としている。電池収納部は、通常、筐体の一部を構成する電池蓋によって閉塞されており、電池の交換等に際して、例えばこの電池蓋を回動操作或いはスライド操作して電池収納部を開放するように構成されている。
【０００３】
従来の電池蓋装置は、一般に、電池収納部を閉塞するに足る板状の部材によって構成されており、電池収納部の開口部分に形成したガイド溝に沿ってスライド操作される。この場合、ガイド溝は、筐体の一方側面部に開放されており、電池収納部を開放した電池蓋が筐体から取り外される。このように、電池蓋を筐体から取り外すように構成した従来の電池蓋装置においては、電池交換時等に際して取り外した電池蓋を落下させて破損したり紛失するといった問題点があった。
【０００４】
かかる問題点を解決するため、従来の電池蓋装置として、例えばヒンジ機構を介して電池蓋を筐体に回動自在に支持した電池蓋装置が採用されている。すなわち、この電池蓋装置は、筐体の一部に電池収納部を形成し、この電池収納部の内部には装填された電池を保持するとともに電気的接続を行う電池ホルダーが配設される。電池ホルダは、一端部側に軸受け部が一体に形成されており、この軸受け部を介して電池蓋を回動自在に支持している。
【０００５】
すなわち、電池蓋は、電池収納部の開口形状と等しい形状を有しており、その一側部の両側縁に支点軸を一体に形成することによって支点部を構成するとともに、この支点部と対向する自由端部には、筐体の内面に形成した係合凹部と係脱する係合凸部が突設されている。電池蓋は、支点部の支点軸を電池ホルダの軸受け部に軸支することにより筐体に回動自在に組み合わされており、電池収納部を閉塞した状態において、自由端部側の係合凸部が筐体の係合凹部と係合することによって筐体にしっかりと組み合わされる。
【０００６】
以上のように構成された従来の電池蓋装置によれば、電池収納部を開放するように電池蓋を回動操作した状態であっても、この電池蓋は、支点部の支点軸が電池ホルダの軸受け部に支架されていることによって、筐体から脱落することは無く紛失や破損といった不都合が防止される。
【０００７】
【発明が解決しようとする課題】
ところで、この電池蓋装置においては、電池収納部を開放操作するに際して、自由端側の係合凸部と筐体側の係合凹部との係合状態を解除するための何らかの操作が必要となる。このため、電池蓋装置は、例えば電池ホルダ或いは適宜の支点部材を筐体に対してスライド動作自在に組み付け、一度電池ホルダを筐体に沿ってスライド動作して係合凸部と係合凹部との係合状態を解除した後、電池蓋を電池ホルダ或いは支点部材に対して回動操作する構造が採用される。
【０００８】
しかしながら、かかる電池蓋装置においては、回動動作された電池蓋に誤って引っかける等して大きな負荷、衝撃等が加えられた場合には、電池ホルダ、支点部材或いは電池蓋が破損してしまうといった不都合が発生する。また、電池蓋装置は、電池蓋、支点部材或いは電池ホルダといった可動部分が破損しやすいといった問題点があり、さらに何らかの原因により脱落した電池蓋を筐体に再度組み付けることはほとんど不可能であるといった問題点があった。
【０００９】
ところで、電機機器等においては、一般に箱状筐体として構成されるため、この筐体を例えば上下ハーフに分割して構成し、構成部品、基板等を組み立てた後にこれら上下ハーフをねじ止め固定するようにしている。勿論、ねじ止め部は、意匠的外観を損なわないように配慮されており、電池収納部についても通常は電池蓋に閉塞される部分に配設されている。したがって、電池蓋は、筐体のねじ止め工程後に、筐体側に組み立てられるといった組立て工程の制限があった。
【００１０】
一般に、電機機器等の組立て工程は、比較的小さな部品から順に組み立てを行ってブロック化し、各ブロックの機能検査等を行いながら最終の組立て工程段階で筐体の組み立てを行って最終機能検査を行うといった工程が採用されている。上述したように、電池収納部においては、電池蓋が筐体のねじ止め工程後に組み付けられるため、電池を装填しての電池蓋の開閉操作或いは動作検査等が最終機能検査として実施されることになり、不都合が発見された場合には、筐体全体を分離しなければならないといった煩わしさがあった。また、合成樹脂製の筐体は、ねじ止めに際していわゆるセルフタップネジが用いられるため、不都合な部分を修正して再組立てを行った場合に、この筐体が強固に組み立てされないといった問題点があった。
【００１１】
したがって、本発明は、収納空間部を開放した状態でも蓋体が分離されずまた回動操作された蓋体に大きな負荷、衝撃等が加えられた場合にもこの蓋体の破損が防止され、極めて簡単な操作によって蓋体を組み付け可能とするとともに、筐体のねじ止め工程に先行して蓋体の組立て工程を行い得るようにした蓋装置を提供することを目的として提案されたものである。
【００１２】
【課題を解決するための手段】
この目的を達成した本発明に係る蓋装置は、内部空間部と隔壁を介して区割りされた領域の天井壁に開口された収納空間部と、この収納空間部に直交する方向に互いに平行に対峙して内部空間部側に設けられることによってスライダ移動空間部を構成する一対のスライドガイド壁と、スライダ移動空間部中に位置して隔壁側に設けられたストッパ部と、このストッパ部を挟んで隔壁に設けられてスライダ移動空間部と収納空間部とを連通させるスライドガイド開口部とを有する筐体を備える。また、蓋装置は、スライドガイド壁の内面とそれぞれ対向するとともにスライドガイド開口部を介して収納空間部側に進退する一端部に係合手段が設けられた互いに平行に対峙する一対の支持片と、これら支持片の他端部からそれぞれ一体に連設されてスライドガイド壁の内面に弾接するスライド片と、支持片間を連結するとともに支持片の支持部が収納空間部側に突出した状態においてストッパ部と衝合する連結基部とを有し、スライダ移動空間部に移動自在に配設されたスライダ部材を備える。さらに、蓋装置は、収納空間部を開閉するに足る形状の蓋部と、この蓋部のスライドガイド開口部と対向する一端部側に互いに平行に対峙して一体に突設され先端部に形成した係合手段がスライダ部材の支持片に設けた係合手段に組み付けられることによって回動自在に支持される一対の連結片と、これら連結片との間に位置して蓋部の一端部に突設され蓋部が収納空間部を閉塞した状態において筐体側に設けた係合部と相対係合して蓋部による収納空間部の閉塞状態を保持する係合片とを有する蓋部材を備える。
【００１３】
また、本発明に係る蓋装置は、天井壁に、隔壁と収納空間部の開口部との間に蓋部材のスライド動作を保持する動作保持領域を構成し、この動作保持領域に被組付け部材との組み付けを行うための組付け用スタッド部を設けることによって、この組付け用スタッド部が、蓋部材を回動動作させた状態において外方に露呈されるように構成する。
【００１４】
さらに、本発明に係る蓋装置は、蓋部材の連結片とスライダ部材の支持片とを、過大な衝撃等に対して厚み方向に弾性変位可能に構成するとともに、これら連結片と支持片とに設けた係合手段を相対係合される係合凸部と係合穴とによって構成する。
【００１５】
【作用】
以上のように構成された本発明に係る蓋装置によれば、蓋部材は、筐体面に沿ってやや強い操作力によってスライド操作することによって、係合片と筐体側の係合部とのロック状態が解除される。スライダ部材は、蓋部材のロックが解除された状態で、スライドガイド壁の内面に弾接するスライド片を介して支持片がスライドガイド壁に沿ってスライド移動空間部を移動することによって、この支持片が収納空間部側へとスライド動作する。支持片の先端部は、スライダ部材のスライド動作により、スライドガイド開口部から収納空間部側へと突出する。蓋部材は、このようにして収納空間部側へと突出されたスライダ部材の支持片に設けた係合手段と相対係合する連結片の係合手段とを支点として回動操作されることによって、収納空間部を大きく開放する。したがって、被収納体は、大きく開放された収納空間部への装填或いはこの収納空間部からの取り出しが簡単に行われる。
【００１６】
また、本発明に係る蓋装置によれば、筐体と被組付け部材とを組み付けるための組付け穴を有する組付け用スタッド部が、通常蓋部材に閉塞されていることから、機器の外観を損なうことが無い。筐体と被組付け部材とは、組付け用スタッド部蓋部材を回動操作した状態で外方に露呈されることにより、予め蓋部材を機器筐体に組み付けた後工程においても、被組付け部材を筐体に対して組み付けることを可能とする。
【００１７】
さらに、本発明に係る蓋装置によれば、係合方向に対して弾性変形自在に構成された支持片と蓋部材の連結片とは、支持片の先端部を支点として回動動作された蓋部材に大きな負荷、衝撃等が加えられた場合に、弾性変形してこの衝撃を吸収し或いは支持片と蓋部材との係合状態を解除する。したがって、蓋部材は、衝撃等の大きな負荷が加えられた場合にも、破損が防止される。
【００１８】
【実施例】
以下、本発明の具体的な実施例について、詳細に説明する。実施例は、合成樹脂製の前部ケース２と後部ケース３とを組み合わせて構成した筐体１を備える携帯型無線電話機の後述する電池収納部８への適用例を示す。なお、以下の実施例の説明において、前後及び上下の位置は、図１を基準としてダイヤル部６が配置された側面を前方とし、また受話部５が配置された側面を上方と称するものとする。携帯型無線電話機は、図１に示すように、前部ケース２側の上下部分に前方側へと膨出する送話部４及び受話部５とが設けられるとともに、これら送話部４及び受話部５との間に位置してダイヤル部６が配置されている。
【００１９】
送話部４には、内部に図示しない送話器（スピーカ）が配設され、また受話部５には、内部に図示しない受話器（マイクロホン）がそれぞれ収納配置されている。ダイヤル部６には、１０キー及び短縮ダイヤルキー或いは複数の機能スイッチキー等が配設されている。前部ケース２及び後部ケース３は、図示しないが、相対する複数箇所にそれぞれねじ止め部が設けられており、これらねじ止め部にねじ込まれるセルフタップネジによって一体化されて筐体１を構成する。
【００２０】
携帯型無線電話機は、電源となる充電型電池７を収納するための電池収納部８が送話部４に対応する背面側の下方部に位置して設けられている。すなわち、この電池収納部８は、後述するように電池蓋部材２０の厚み寸法に対応して段落ちされて構成された領域の天井壁９の下方部に位置して開口されている。電池収納部８は、この天井壁９と一体の後部ケース３の底面壁１０と、左右側面壁１１、１２及び天井壁９側の側面壁１３とによって、通常電池蓋部材４０によって閉塞される前後方向の矩形筒状の空間部として構成されている。
【００２１】
なお、電池収納部８には、図示しないが端子部材が組み込まれて筒状空間部の底部を構成するとともに、この端子部材と一体もしくはこの端子部材と接続された充電端子が前部ケース２の底面より露呈される。したがって、携帯型無線電話機は、充電器に立てかけられた状態において、充電端子を介して充電型電池７の充電が行われる。
【００２２】
後部ケース４は、下方部が、電池収納部８が開口された天井壁９とケース内面壁とを連結する前後方向の垂直な隔壁１４によって筐体１の内部空間（筐体空間部）１５と電池収納部８とに区割りされている。天井壁９は、電池収納部８の開口部分と隔壁１４との間に、後述する電池蓋部材４０のスライド動作を保持するための適当な領域、すなわち動作保持領域２８を構成する領域を備えている。隔壁１４には、筐体空間部１５と電池収納部８とを連通させる一対のスライドガイド開口部１６（１６Ａ、１６Ｂ）が設けられている。スライドガイド開口部１６は、筐体１の幅方向に離間して互いに平行な上下方向の開口部として隔壁１４に設けられ、後述する電池蓋部材２０を支持するスライダ部材３０を電池収納部８側へ突出可能とするガイド穴を構成する。
【００２３】
筐体空間部１５を構成する後部ケース４の内面には、両端が隔壁１４に一体化されたスライダストッパ部１７が一体に形成されている。すなわち、このスライダストッパ部１７は、隔壁１４のスライドガイド開口部１６の内側位置をそれぞれ始端、終端とした略コ字状に形成された立壁によって構成されている。隔壁１４には、スライダストッパ部１７に囲まれた領域に、電池収納部８と連通される係合片ガイド開口部１８が設けられている。また、後部ケース４の内面には、スライダストッパ部１７に囲まれた領域に、図示しないがスライダ係合片４８の先端部に形成した係合凸部が相対係合する係合凹部が設けられている。
【００２４】
さらに、後部ケース４の内面には、スライドガイド開口部１６の延長線上のやや外側に位置して高さ方向の一対のスライドガイド壁２０（２０Ａ、２０Ｂ）が設けられている。これらスライドガイド壁２０は、互いに平行に対峙する立壁として後部ケース４の内面に構成され、補強リブ２２（２２Ａ、２２Ｂ）によって厚み方向の補強が図られている。スライドガイド壁２０は、相対向する空間部をスライダ移動空間部１９として構成し、このスライダ移動空間部１９に臨む相対向する内面に高さ方向のスライドガイド溝２１（２１Ａ、２１Ｂ）がそれぞれ形成されている。
【００２５】
スライドガイド溝２１は、後述するように、電池蓋部材４０がスライド操作されて電池収納部８を開放するに足るスライダ部材３０のスライド動作量を規定する長さ寸法を以ってスライドガイド壁２０に設けられている。また、スライドガイド溝２１には、詳細な図示を省略するが、下端側に位置してクリック部が設けられており、後述する電池収納部８の開放操作に際して、スライダ部材３０のスライド動作位置を規制する。一方、後部ケース４の内面には、スライドガイド壁２０の上端部よりもやや上方であってかつ内側に位置して略三角形状のスライダストッパリブ２３（２３Ａ、２３Ｂ）が設けられている。これらスライダストッパリブ２３は、後述するように、電池収納部８を閉塞した状態におけるスライダ部材３０の上方位置を規制するストッパとして作用する。
【００２６】
後部ケース４には、電池収納部８を構成する天井壁９の動作保持領域２８部分に位置して、左右方向に離間する貫通穴２４（２４Ａ、２４Ｂ）を有する一対のねじ止め用スタッド部２５（２５Ａ、２５Ｂ）が一体に設けられている。ねじ止め用スタッド部２５は、前部ケース２と後部ケース３とを組み合わせた状態において、前部ケース２側の図示しないねじ止め用スタッド部が突き合わされる。したがって、貫通穴２４には、図示しないセルフタップネジがねじ込まれることによって、前部ケース２と後部ケース３とが一体にねじ止めされる。ねじ止め用スタッド部２５は、上述したように、天井壁９の動作保持領域２８部分に設けられることによって通常は電池蓋部材４０によって閉塞されて外部に露呈されないため、実施例携帯型無線電話機の外観が損なわれるといったことは無い。なお、このねじ止め用スタッド部２５は、例えば端子部材を電池収納部８に組み付ける際のねじ止め部として利用してもよい。
【００２７】
また、後部ケース４には、ケース底面壁１０の先端縁に位置して後述する電池蓋部材４０に設けたロック凸部４９が相対係合する係合凹部２６（２６Ａ、２６Ｂ）が設けられている。したがって、電池蓋部材４０は、係合凹部２６とロック凸部４９とが相対係合することによって、電池収納部８を閉塞した状態に保持される。さらに、後部ケース４には、電池収納部８を構成する両側壁の縁部に、電池蓋部材４０に設けたスライドガイド凸部４５が相対係合するところの長溝状のスライドガイド凹部２７（２７Ａ、２７Ｂ）が設けられている。これらスライドガイド凹部２７は、後述する電池蓋部材４０のスライド動作が円滑に行われるように作用する。
【００２８】
スライドガイド壁２０によって構成されたスライダ移動空間部１９には、スライダ部材３０が移動自在に配設される。スライダ部材３０は、弾性を有する合成樹脂材料、例えばポリアセタール樹脂を材料として、連結基部３１と、一対の支持片３２（３２Ａ、３２Ｂ）と、一対のスライド片３４（３４Ａ、３４Ｂ）とから構成される全体略Ｈ字状の部材として成形される。連結基部３１は、後部ケース３側の隔壁１４に設けたスライドガイド開口部１６の間隔とほぼ等しい長さ寸法を有し、その両端部に支持片３２が互いに平行に対峙して一体に形成されている。
【００２９】
支持片３２は、長さ寸法がスライドガイド壁２０の長さ寸法よりも充分大とされるとともにスライドガイド壁２０の対向間隔よりもやや小とされた対向間隔とされて中央よりやや上方に位置して連結基部３１の両端部に連設されている。この支持片３２の下端部の外側面には、円形の係合凹部３３が設けられることによって、後述するように電池蓋部材４０を回動自在に支持するための支持部を構成している。支持片３２は、やや厚みを有して形成されているが、材料特性によって先端部分は厚み方向にやや弾性変位可能とされている。なお、支持部を構成する係合凹部３３には、詳細な図示を省略するが、外周部の上下、前後方向に十字状のクリック溝が形成されている。
【００３０】
スライド片３４は、支持片３２の上端部を外側にＵ字状に折曲することによって支持片３２と平行に対峙して形成されている。スライド片３４は、対向間隔がスライドガイド壁２０の対向間隔とほぼ等しくされるとともに、このスライドガイド壁２０の内面と対向する下端部側の外側面には係合凸部３５（３５Ａ、３５Ｂ）が一体に突設されている。これら係合凸部３５は、スライドガイド壁２０に設けたスライドガイド溝２１と係合可能な略楕円形状に形成されている。また、スライド片３４の外側面には、詳細な図示を省略するが、係合凸部３５を挟んで前後方向のクリック凹部が設けられている。
【００３１】
スライド片３４は、自由端側を支持片３２の外側面と弾性連結片３６を介して一体に連結されている。すなわち、弾性連結片３６は、全体薄肉であってスライド片３４の下端部と支持片３２の外側面とをＬ字状に折曲されて連結している。したがって、スライド片３４は、係合凸部３５が設けられた下端部の支持片３２との対向間隔が保持され、かつ下端部の支持片３２側へと撓む経時的な現象の発生が防止されている。
【００３２】
以上のように構成されたスライダ部材３０は、スライドガイド壁２０によって構成されるスライダ移動空間部１９に位置されて、スライド片３４の外側面に形成された係合凸部３５をスライドガイド壁２０の内側面に設けたスライドガイド溝２１に相対係合させることによって、後部ケース３に組み付けられる。この場合、スライダ部材３０は、支持片３２及びスライド片３４をそれぞれ内側に弾性変形させながら、係合凸部３５をスライドガイド溝２１に相対係合させる。このようにしてスライドガイド壁２０に組み合わされたスライダ部材３０は、支持片３２の係合凹部３３が設けられた先端部側を隔壁１４に設けたスライドガイド開口部１６から電池収納部８側に臨まされる。
【００３３】
後部ケース３に組み付けられたスライダ部材３０は、スライドガイド壁２０に沿って上下方向に移動動作されるが、図２に示すように、係合凸部３５がスライドガイド溝２１の上端に衝合する最上部の位置においては、支持片３２の上端部が後部ケース３に設けたスライダストッパリブ２３と当接する。また、スライダ部材３０は、図５に示すように、係合凸部３５がスライドガイド溝２１の下端に衝合する最下部の位置においては、連結基部３１が隔壁１４側に設けたスライダストッパ部１７と当接する。なお、スライダ部材３０は、この最下部位置において係合凸部３５を挟んでスライド片３４に設けたクリック凹部とスライドガイド溝２１の下端側に位置して設けられたクリック部とが相対係合して、仮保持される。
【００３４】
以上のようにスライダ移動空間部１９に位置して後部ケース３に移動自在に組み付けられたスライダ部材３０には、電池蓋部材４０が支持される。電池蓋部材４０は、後部ケース３と同色で潤滑性、弾性を有する合成樹脂材料、例えばＡＢＳ樹脂等によって成形され、電池収納部８が構成された天井壁９に対応する領域全体を閉塞するに足る外形寸法に形成された天井蓋壁部４１と、この天井蓋壁部４１の上端側を除く立上り外周壁を構成する左右側面壁部４２Ａ、４２Ｂと、底面壁部４３とから構成されている。
【００３５】
天井蓋壁部４１の内面には、電池蓋部材４０が電池収納部８を閉塞した状態において、電池収納部８に装填された充電型電池７の一方側面部に突き当たってこの充電型電池７の遊動を防止するための複数のリブ状凸部４４が一体に形成されている。また、電池蓋部材４０には、左右側面壁部４２Ａ、４２Ｂの縁部に、後部ケース３側のスライドガイド凹部２７に相対対応するスライドガイド凸部４５（４５Ａ、４５Ｂ）がそれぞれ一体に突設されている。さらに、電池蓋部材４０には、底面壁部４３の縁部内面に幅方向に離間して一対のロック凸部４９が一体に形成されている。ロック凸部４９は、楔状を呈して形成されており、電池蓋部材４０が電池収納部８を閉塞した状態において、ケース底面壁１０側の係合凹部２６と相対係合する。
【００３６】
電池蓋部材４０には、天井蓋壁部４１の開放された上端部に位置して、この天井蓋壁部４１の内面から互いに平行に対峙するようにして一対の連結片４６（４６Ａ、４６Ｂ）が一体に突設されている。これら連結片４６は、相対する間隔が隔壁１４に設けたスライドガイド開口部１６の間隔とほぼ等しく、換言すればスライダ部材３０の支持片３２の対向間隔とほぼ等しい。連結片４６は、所定の厚み寸法を以って形成されるが、材料特性により先端部は厚み方向に対してやや弾性変形することができる。そして、この連結片４６の先端部には、相対する側面に軸線を一致させて断面円形の係合凸部４７（４７Ａ、４７Ｂ）がそれぞれ一体に突設されている。なお、係合凸部４７には、外周部に上下、前後方向に十字状のクリックリブが形成されている。
【００３７】
電池蓋部材４０には、連結片４６間に位置する開放された天井蓋壁部４１の上端部に、この天井蓋壁部４１の面と平行な係合片４８が一体に突設されている。この係合片４８は、先端部が楔状に形成されており、電池蓋部材４０が電池収納部８を閉塞した状態において、ストッパ部１７に囲まれた後部ケース４の内面に形成した係合凹部２９（図５及び図７参照）と相対係合する。したがって、電池蓋部材４０は、上端側が係合片４８と後部ケース４側の係合凹部２９とが相対係合することにより、また底面側がロック凸部４９とケース底面壁１０側の係合凹部２６と相対係合することによって、閉塞状態が保持される。
【００３８】
以上のように構成された電池蓋部材４０は、スライダ部材３０をスライドガイド壁２０に沿って最下部位置にスライド操作させて支持片３２の先端部をスライドガイド開口部１６から電池収納部８側に突出させた状態で、連結片４６の係合凸部４７を支持片３２の係合凹部３３に相対係合させることによって、スライダ部材３０と連結される。この場合、電池蓋部材４０は、連結片４６と支持片３２とをそれぞれ厚み方向に弾性変形させながら、係合凸部４７を係合凹部３３に相対係合させる。したがって、電池蓋部材４０は、スライダ部材３０がスライドガイド壁２０に沿って上下方向にスライド動作されると、このスライダ部材３０と一体的に上下方向にスライド動作される。
【００３９】
電池蓋部材４０は、図６に示すように、スライダ部材３０を係合凸部３５がスライドガイド溝２１の上端に衝合させて最上部に位置された状態において、天井蓋部４１によって電池収納部８を閉塞する。この場合、電池蓋部材４０は、上述したように、上端側が係合片４８と後部ケース４側の係合凹部２９とが相対係合しかつ底面側がロック凸部４９とケース底面壁１０側の係合凹部２６と相対係合することによって、電池収納部８の閉塞状態が保持される。電池蓋部材４０は、電池収納部８を閉塞した状態において、図１０に示すように、後部ケース３の外周面とほぼ面一となって携帯型無線電話機の筐体１の一部を構成する。
【００４０】
携帯型無線電話機は、充電型電池７の交換或いは充填を行う場合に、電池蓋部材４０のスライド操作並びに回動操作が行われる。すなわち、電池蓋部材４０は、後部ケース３に沿ってやや強く下方部へと押し下げられる。これによって、電池蓋部材４０は、上端側の係合片４８と後部ケース４側の係合凹部２９との係合状態と底面側のロック凸部４９とケース底面壁１０側の係合凹部２６との係合状態が解除され、左右側面壁部４２Ａ、４２Ｂの縁部に設けたスライドガイド凸部４５が後部ケース３側のスライドガイド凹部２７に沿って移動する。
【００４１】
また、スライダ部材３０は、この電池蓋部材４０のスライド動作に伴って、係合凸部３５がスライドガイド溝２１の上端に衝合する初期位置から、スライドガイド壁２０に沿ってスライダ移動空間部１９中を、係合凸部３５がスライドガイド溝２１の下端に衝合する最下部位置までスライド動作し、図７に示すように、連結基部３１が隔壁１４側に設けたスライダストッパ部１７と当接して停止される。この場合、電池蓋部材４０は、図１１に示すように、動作保持領域２８部分を外方へ露呈させる。
【００４２】
次に、電池蓋部材４０は、支持片３２の係合凹部３２に係合された連結片４６の係合凸部４７を支点として、図８に示すように、スライダ部材３０に対して回動操作される。したがって、電池収納部８は、この電池蓋部材４０の回動操作によって大きく開口された状態となる。なお、電池蓋部材４０は、係合凸部４７に設けたクリックリブがスライダ部材３０の支持部３３に設けたクリック溝と相対係合することによって、電池収納部８を開放した状態に仮保持される。
【００４３】
電池蓋部材４０による閉鎖状態から開放されたこの電池収納部８には、図９及び図１２に示すように、充電型電池７が内部へと装填される。電池蓋部材４０は、電池収納部８を開放した状態においても、スライダ部材３０に支持されて筐体１から分離されないため、落下させて破損したり紛失するといった不都合が発生することは無い。
【００４４】
ところで、電池蓋部材４０は、例えば電池収納部８を開放する際に必要以上に大きく回動操作したり、誤ってぶつけたりすることによって衝撃等が加えられることがある。この場合、電池蓋部材４０は、係合凸部４７と係合凹部３３とが相対係合して回動支点を構成する連結片４６と支持片３２とが、加えられた過大な衝撃力等によってそれぞれ厚み方向に弾性変形してこの過大な衝撃力等を吸収し、或いは係合凸部４７と係合凹部３３との係合状態が解除される。したがって、携帯型無線電話機は、電池蓋部材４０が回動動作された状態において、衝撃等が加えられた場合でも、この電池蓋部材４０、スライダ部材３０或いは筐体１が破損するといった不都合の発生が防止される。
【００４５】
電池蓋部材４０は、電池収納部８を開放するように回動操作された状態から、スライダ部材３０の支持片３２の係合凹部３２に係合された連結片４６の係合凸部４７を支点として、後部ケース３側へとスライダ部材３０に対して回動操作される。しかる後、電池蓋部材４０は、天井壁９に対応する領域を閉鎖するように後部ケース３に沿って上方へとスライド操作される。電池蓋部材４０は、電池収納部８を閉塞した状態において、上端側が係合片４８と後部ケース４側の係合凹部２９とが相対係合し、また底面側がロック凸部４９とケース底面壁１０側の係合凹部２６と相対係合することによって、閉塞状態が保持される。
【００４６】
また、スライダ部材３０は、上述した電池蓋部材４０のスライド動作にしたがって、係合凸部３５がスライドガイド溝２１の下端に衝合する最下部位置の状態から係合凸部３５がスライドガイド溝２１の上端に衝合する最上部位置までスライドガイド壁２０に沿って上方向に移動動作され。
【００４７】
なお、上述した実施例は、携帯型無線電話機の電池収納部８を開閉する電池蓋部材４０に適用した例を示したが、本発明は係る実施例に限定されるものでは無く、携帯型無線電話機以外の種々の装置に適用されることは勿論であり、また電池蓋部材にのみ適用されるものでも無い。したがって、後部ケース３、スライダ部材３０或いは電池蓋部材４０は、適用する機器、収納部の構造等によって種々変更される。
【００４８】
また、上述した実施例においては、スライダ部材３０の支持片３２の外側に位置してスライド片３４を一体に設け、このスライド片３４に設けた係合凸部３５をガイドするスライドガイド壁２０の内面に設けたスライドガイド溝２１に相対係合させるように構成したが、係合凸部３５を支持片３２に直接設けるように構成しても良いことは勿論である。また、スライダ部材３０と電池蓋部材４０とは、スライダ部材３０側の支持片３２の先端部に設けた係合凹部３３と電池蓋部材４０側の連結片４６の先端部に設けた係合凸部４７とを相対係合させて組み合わせるように構成したが、連結片４６側に係合凹部を設けかつ支持片側に係合凸部を設けるようにしてもよい。
【００４９】
【発明の効果】
以上詳細に説明したように、本発明に係る蓋装置によれば、蓋部材は、収納部を開放した状態においても筐体から分離されないため、誤って落下させて破損させたり紛失するといった不都合が生じることは無い。また、蓋部材は、収納部を開放した状態において、大きな負荷や衝撃が加えられた場合には、この衝撃力等を支持部分で吸収するとともに、さらに大きな負荷や衝撃に対してはスライダ部材との連結部分で分離することから、この蓋部材、スライダ部材或いは筐体の破損が確実に防止される。なお、分離された蓋部材は、極めて簡単な操作によって再びスライダ部材に組み合わされる。
【００５０】
また、本発明に係る蓋装置によれば、筐体と被組付け部材とを組み付けるための組付け用スタッド部が、通常は蓋部材で覆われるとともに蓋部材を回動操作した状態で外方へと露呈するように構成したことにより、筐体と被組付け部材との組付け工程を蓋部材の組み付け工程に係わらず任意の時点で行うことができる。したがって、本発明に係る蓋装置を採用した本体装置は、機能テスト等を実施した後に最終工程として筐体のねじ止め工程を実施することが可能となる。
【図面の簡単な説明】
【図１】本発明に係る蓋装置を電池収納部の電池蓋装置に適用した携帯型無線電話機の斜視図である。
【図２】同携帯型無線電話機において、前部ケースを取り外して電池蓋装置部分の構成を示した要部平面図であり、電池蓋部材によって電池収納部が閉塞された状態を示す。
【図３】同携帯型無線電話機の電池蓋装置の構成を説明する要部分解斜視図である。
【図４】同携帯型無線電話機の電池蓋装置の構成を説明する一部切欠き要部分解斜視図であり、電池蓋部材によって電池収納部が閉塞された状態を示す。
【図５】同携帯型無線電話機において、前部ケースを取り外して電池蓋装置部分の構成を示した要部平面図であり、電池蓋部材が回動操作されて電池収納部が開放された状態を示す。
【図６】同携帯型無線電話機における電池蓋装置の構成並びにその操作を説明する要部縦断面図であり、電池蓋部材によって電池収納部が閉塞された状態を示す。
【図７】同携帯型無線電話機における電池蓋装置の構成並びにその操作を説明する要部縦断面図であり、電池蓋部材がスライド操作された状態を示す。
【図８】同携帯型無線電話機における電池蓋装置の構成並びにその操作を説明する要部縦断面図であり、電池蓋部材が回動操作された状態を示す。
【図９】同携帯型無線電話機における電池蓋装置の構成並びにその操作を説明する要部縦断面図であり、電池蓋部材が回動操作されて開放された電池収納部に充電型電池を装填された状態を示す。
【図１０】同携帯型無線電話機において、電池収納部が電池蓋部材によって閉塞された状態を示す背面側からの要部斜視図である。
【図１１】同携帯型無線電話機において、電池蓋部材をスライド操作させた状態を示す背面側からの要部斜視図である。
【図１２】同携帯型無線電話機において、電池蓋部材が回動操作されて開放された電池収納部に充電型電池を装填する状態を示す背面側からの要部斜視図である。
【符号の説明】
１  筐体
２  前部ケース
３  後部ケース
７  充電型電池
８  電池収納部（収納空間部）
９  天井壁
１４  隔壁
１５  筐体空間部（内部空間部）
１６  スライドガイド開口部
１７  スライダストッパ部
１９  スライダ移動空間部
２０  スライドガイド壁
２１  スライドガイド溝
２５  組付け用スタッド部
２８  スライダ動作保持領域
３０  スライダ部材
３１  連結基部
３２  支持片
３３  係合凹部（係合手段）
３４  スライド片
４０  電池蓋部材
４１  天井蓋壁部（蓋部
４６  連結片
４７  係合凸部（係合手段）
４８  係合片
【図１】
0003612744.tif 000002
【図２】
0003612744.tif 000003
【図３】
0003612744.tif 000004
【図４】
0003612744.tif 000005
【図５】
0003612744.tif 000006
【図６】
0003612744.tif 000007
【図７】
0003612744.tif 000008
【図８】
0003612744.tif 000009
【図９】
0003612744.tif 000010
【図１０】
0003612744.tif 000011
【図１１】
0003612744.tif 000012
【図１２】
0003612744.tif 000013